(57)【要約】【課題】煩雑な制御を必要とせず、画像エッジの視認性を向上させる【解決手段】画像データ記憶部に記憶されている画像データにかかる画像のエッジに対応するエッジドット領域から少なくとも１ドット領域以内の排除範囲に、フラッシングドットが形成されるフラッシングドット領域が位置している場合には、そのフラッシングドット領域を順搬送方向の下流側に排除領域外まで移動させる。【選択図】図７
2011073297.tif 000002
【特許請求の範囲】
【請求項１】
記録媒体を搬送方向に搬送する搬送機構と、
記録媒体に画像を形成するための第１液体を吐出する第１吐出口、及び、前記第１吐出口から第１液体を吐出する吐出エネルギーを付与する第１エネルギー付与手段を有する第１吐出ヘッドと、
外部から入力された画像データを、前記搬送方向と直交する直交方向の記録解像度に対応した第１距離と前記搬送方向の記録解像度に対応した第２距離とで記録媒体上に区画して規定された複数のドット領域に前記第１液体を吐出するデータとして記憶する画像データ記憶手段と、
前記画像データ記憶手段に記憶された前記画像データに基づいて前記第１吐出ヘッドの前記第１エネルギー付与手段を制御する画像記録制御手段と、
前記複数のドット領域のうち、前記画像データ記憶手段に記憶されている画像データにかかる画像のエッジに対応するドット領域であるエッジドット領域から少なくとも1ドット領域以上の所定範囲離れた位置に第１液体が着弾するように第１液体の予備吐出にかかる予備吐出データを作成する予備吐出データ作成手段と、
前記予備吐出データ作成手段により作成された第１液体の予備吐出データに基づいて記録媒体にフラッシングドットが形成されるように前記第１吐出ヘッドの前記第１エネルギー付与手段を制御するフラッシング制御手段とを備えていることを特徴とする液体吐出装置。
【請求項２】
前記予備吐出データ作成手段が、前記所定範囲を決定する範囲決定手段をさらに備えており、前記範囲決定手段により決定された所定範囲に基づいて前記予備吐出データを作成することを特徴とする請求項１に記載の液体吐出装置。
【請求項３】
前記範囲決定手段は、記録媒体に着弾した第１液体が滲み易いほど、前記所定範囲が広くなるように前記所定範囲を決定すること特徴とする請求項２に記載の液体吐出装置。
【請求項４】
前記画像記録制御手段は、前記画像データを誤差拡散法により変換した変換データに基づいて前記第１吐出ヘッドの前記第１吐出エネルギー付与手段を制御し、
前記範囲決定手段は、前記エッジドット領域に対応する前記画像データの誤差が分配される範囲を前記所定範囲として決定すること特徴とする請求項２又は３に記載の液体吐出装置。
【請求項５】
前記範囲決定手段は、前記エッジドット領域に対応するデータを含む画像の線が細いほど、前記所定範囲が広くなるように前記所定範囲を決定すること特徴とする請求項２〜４のいずれか１項に記載の液体吐出装置。
【請求項６】
前記範囲決定手段は、前記フラッシングドットの明度に比べて、そのフラッシングドットが形成されるドット領域の最も近傍に位置する前記エッジドット領域に形成される画像ドットの明度が大きいほど、前記所定範囲が広くなるように前記所定範囲を決定すること特徴とする請求項２〜５のいずれか１項に記載の液体吐出装置。
【請求項７】
記録媒体上に吐出される液体であって、第１液体の記録媒体への定着を促進させる第２液体を吐出する第２吐出口、及び、前記第２吐出口から第２液体を吐出する吐出エネルギーを付与する第２吐出エネルギー付与手段を有する第２吐出ヘッドと、
前記画像データ記憶手段に記憶された前記画像データに基づいて、第２液体の吐出データを作成する第２液体吐出データ作成手段と、
前記第２液体吐出データ作成手段により作成された吐出データに基づいて前記第２吐出ヘッドの前記第２吐出エネルギー付与手段を制御する第２液体制御手段とをさらに備えており、
前記範囲決定手段は、前記第２液体制御手段の制御によって前記エッジドット領域に着弾する第２液体の量が多いほど、前記所定範囲が広くなるように前記所定範囲を決定すること特徴とする請求項２〜６のいずれか１項に記載の液体吐出装置。
【請求項８】
記録媒体上に吐出される液体であって、第１液体の記録媒体への定着を促進させる第２液体を吐出する第２吐出口、及び、前記第２吐出口から第２液体を吐出する吐出エネルギーを付与する第２吐出エネルギー付与手段を有する第２吐出ヘッドと、
前記画像データ記憶手段に記憶された前記画像データに基づいて、第２液体の吐出データを作成する第２液体吐出データ作成手段と、
前記第２液体吐出データ作成手段により作成された吐出データに基づいて前記第２吐出ヘッドの前記第２吐出エネルギー付与手段を制御する第２液体制御手段とをさらに備えており、
前記範囲決定手段は、前記エッジドット領域に隣接し且つ前記第２液体制御手段に制御によって吐出された第２液体が着弾する範囲が広いほど、前記所定範囲が広くなるように前記所定範囲を決定すること特徴とする請求項２〜６のいずれか１項に記載の液体吐出装置。
【請求項９】
前記予備吐出データ作成手段は、
第１液体の吐出が行われない不吐出時間が所定時間以上である前記第１吐出口が存在することがないように第１液体の初期の予備吐出データを作成する初期データ作成手段と、
前記初期データ作成手段によって作成された初期の前記予備吐出データに基づいて吐出される第１液体が前記所定範囲内に着弾する場合に、その第１液体が吐出される前記第１吐出口の前記不吐出時間が変更前に比べて短くなるように初期の前記予備吐出データを変更する変更手段とを備えていることを特徴とする請求項１〜８のいずれか１項に記載の液体吐出装置。
【請求項１０】
前記変更手段は、前記第１吐出口の前記不吐出時間を変更前に比べて短くなるように前記予備吐出データを変更する場合に、前記変更する予備吐出データ以外のデータについて、第１液体の吐出が行われない不吐出時間が所定時間以上である前記第１吐出口が存在することがないように当該データを変更することを特徴とする請求項９に記載の液体吐出装置。
【請求項１１】
前記予備吐出データ作成手段は、フラッシングドットが形成されるドット領域同士が隣接しないように予備吐出データを作成することを特徴とする請求項１〜１０のいずれか１項に記載の液体吐出装置。
【請求項１２】
記録媒体の両面に画像を記録するための両面印刷機構をさらに備えており、
前記予備吐出データ作成手段は、予備吐出により吐出される第１液体が着弾するドット領域が記録媒体の両面で重ならないように第１液体の予備吐出データを作成することを特徴とする請求項１〜１１のいずれか１項に記載の液体吐出装置。
【請求項１３】
前記第１吐出ヘッドが、前記直交方向に延在し且つ固定的に設けられたライン式のヘッドであることを特徴とする請求項１〜１２のいずれか１項に記載の液体吐出装置。
【発明の詳細な説明】
【技術分野】
【０００１】
本発明は、インク滴を吐出して記録媒体上に画像ドット及びフラッシングドットを形成する記録ヘッドを備えた液体吐出装置に関する。
【背景技術】
【０００２】
一般に、複数の吐出口からインク滴を吐出するインクジェットヘッドを備えたインクジェットプリンタにおいては、吐出口近傍のインクが固まってインク詰まりが発生するのを防ぐべく、画像を形成するインク滴とは別に、増粘したインクを吐出する予備吐出が行われる。特許文献１、２には、予備吐出が画像の形成と並行して行われ、予備吐出で吐出されたインクにより記録媒体上にフラッシングドットを形成されるプリンタが開示されている。
【０００３】
特許文献１のプリンタにおいては、フラッシングドットを、画像を構成する画像ドットの近傍に形成することで、フラッシングドットを目立たなくする。また、特許文献２のプリンタにおいては、フラッシングドットの形成予定位置が画像ドットに隣接する場合に、その画像ドットの形成位置をフラッシングドットの形成予定位置に移動させ、フラッシングドットの形成は取り止める。これにより、フラッシングドットがその近傍に位置する画像ドットと混在することで、画像に濃度の高い部分が生じ、画像が劣化するのを防ぐ。
【先行技術文献】
【特許文献】
【０００４】
【特許文献１】特開２００８−１７９０１１号公報
【特許文献２】特開２００７−１８５９５７号公報
【発明の概要】
【発明が解決しようとする課題】
【０００５】
しかしながら、上述の特許文献１のように、フラッシングドットを画像ドットの近傍に形成する場合には、フラッシングドットが画像エッジ（画像の輪郭部）の一部として知覚されて画像エッジが乱れ、画像エッジの視認性が低下するという問題が生じる。また、特許文献２のように、画像ドットの形成位置をフラッシングドットの形成予定位置させる制御は煩雑である。
【０００６】
そこで、本発明の目的は、煩雑な制御を必要とせず、画像エッジの視認性を向上させることができる液体吐出装置を提供することである。
【課題を解決するための手段】
【０００７】
本発明の液体吐出装置は、記録媒体を搬送方向に搬送する搬送機構と、記録媒体に画像を形成するための第１液体を吐出する第１吐出口、及び、前記第１吐出口から第１液体を吐出する吐出エネルギーを付与する第１エネルギー付与手段を有する第１吐出ヘッドと、外部から入力された画像データを、前記搬送方向と直交する直交方向の記録解像度に対応した第１距離と前記搬送方向の記録解像度に対応した第２距離とで記録媒体上に区画して規定された複数のドット領域に前記第１液体を吐出するデータとして記憶する画像データ記憶手段と、前記画像データ記憶手段に記憶された前記画像データに基づいて前記第１吐出ヘッドの前記第１エネルギー付与手段を制御する画像記録制御手段と、前記複数のドット領域のうち、前記画像データ記憶手段に記憶されている画像データにかかる画像のエッジに対応するドット領域であるエッジドット領域から少なくとも1ドット領域以上の所定範囲離れた位置に第１液体が着弾するように第１液体の予備吐出にかかる予備吐出データを作成する予備吐出データ作成手段と、前記予備吐出データ作成手段により作成された第１液体の予備吐出データに基づいて記録媒体にフラッシングドットが形成されるように前記第１吐出ヘッドの前記第１エネルギー付与手段を制御するフラッシング制御手段とを備えている。
【０００８】
なお、「画像のエッジに対応するドット領域」とは、画像データにおいて第１液体が着弾する領域として記憶されている複数のドット領域のうち、隣接するドット領域に１つでも第１液体が着弾しないドット領域が存在するドット領域のことである。
【０００９】
上述の構成によると、画像のエッジの近傍にフラッシングドットが形成されるのを防ぐことで、フラッシングドットが画像エッジの一部として知覚されて画像エッジが乱れるのを抑制することができる。よって、煩雑な制御を必要とせず、画像エッジの視認性を向上させることができる。
【００１０】
本発明の液体吐出装置では、前記予備吐出データ作成手段が、前記所定範囲を決定する範囲決定手段をさらに備えており、前記範囲決定手段により決定された所定範囲に基づいて前記予備吐出データを作成することが好ましい。この構成によると、画像の内容や印刷条件等に合わせて、所定範囲を適正に定めることができる。よって、画像エッジの視認性を確実に向上させることができる。
【００１１】
本発明の液体吐出装置では、前記範囲決定手段は、記録媒体に着弾した第１液体が滲み易いほど、前記所定範囲が広くなるように前記所定範囲を決定することが好ましい。記録媒体に着弾した第１液体が滲みにより広範囲に広がる場合には、エッジドット領域の近傍に形成されたフラッシングドットによって画像エッジが乱れやすい。上述の構成によると、滲みが発生し易い場合には所定範囲を広く定めることで、画像エッジの視認性を確実に向上させることができる。
【００１２】
本発明の液体吐出装置では、前記画像記録制御手段は、前記画像データを誤差拡散法により変換した変換データに基づいて前記第１吐出ヘッドの前記第１吐出エネルギー付与手段を制御し、前記範囲決定手段は、前記エッジドット領域に対応する前記画像データの誤差が分配される範囲を前記所定範囲として決定することが好ましい。この構成によると、エッジドット領域の近傍に形成されたフラッシングドットが、誤差拡散によって形成された画像ドットと重なり合って目立つのを防ぐことができる。
【００１３】
本発明の液体吐出装置では、前記範囲決定手段は、前記エッジドット領域に対応するデータを含む画像の線が細いほど、前記所定範囲が広くなるように前記所定範囲を決定することが好ましい。この構成によると、比較的線が細い画像であり画像エッジの視認性を高く保つことが重要な画像である場合に、確実に画像エッジの視認性を向上させることができる。
【００１４】
本発明の液体吐出装置では、前記範囲決定手段は、前記フラッシングドットの明度に比べて、そのフラッシングドットが形成されるドット領域の最も近傍に位置する前記エッジドット領域に形成される画像ドットの明度が大きいほど、前記所定範囲が広くなるように前記所定範囲を決定することが好ましい。この構成によると、フラッシングドットの明度に比べてエッジドット領域に形成される画像ドットの明度が大きく、フラッシングドットが目立ち易い場合でも、フラッシングドットをエッジドット領域から離して形成することで、目立ち難くすることができる。
【００１５】
本発明の液体吐出装置では、記録媒体上に吐出される液体であって、第１液体の記録媒体への定着を促進させる第２液体を吐出する第２吐出口、及び、前記第２吐出口から第２液体を吐出する吐出エネルギーを付与する第２吐出エネルギー付与手段を有する第２吐出ヘッドと、前記画像データ記憶手段に記憶された前記画像データに基づいて、第２液体の吐出データを作成する第２液体吐出データ作成手段と、前記第２液体吐出データ作成手段により作成された吐出データに基づいて前記第２吐出ヘッドの前記第２吐出エネルギー付与手段を制御する第２液体制御手段とをさらに備えており、前記範囲決定手段は、前記第２液体制御手段の制御によって前記エッジドット領域に着弾する第２液体の量が多いほど、前記所定範囲が広くなるように前記所定範囲を決定することが好ましい。
【００１６】
この構成によると、記録媒体におけるフラッシングドットを形成する領域に第２液体が作用し、フラッシングドットの定着が促進され、フラッシングドットが目立つのを防ぐことができる。
【００１７】
本発明の液体吐出装置では、記録媒体上に吐出される液体であって、第１液体の記録媒体への定着を促進させる第２液体を吐出する第２吐出口、及び、前記第２吐出口から第２液体を吐出する吐出エネルギーを付与する第２吐出エネルギー付与手段を有する第２吐出ヘッドと、前記画像データ記憶手段に記憶された前記画像データに基づいて、第２液体の吐出データを作成する第２液体吐出データ作成手段と、前記第２液体吐出データ作成手段により作成された吐出データに基づいて前記第２吐出ヘッドの前記第２吐出エネルギー付与手段を制御する第２液体制御手段とをさらに備えており、前記範囲決定手段は、前記エッジドット領域に隣接し且つ前記第２液体制御手段に制御によって吐出された第２液体が着弾する範囲が広いほど、前記所定範囲が広くなるように前記所定範囲を決定することが好ましい。
【００１８】
この構成によると、エッジドット領域の近傍に着弾した第２液体により、フラッシングドットの定着が促進され、フラッシングドットが目立つのを防ぐことができる。
【００１９】
本発明の液体吐出装置では、前記予備吐出データ作成手段は、第１液体の吐出が行われない不吐出時間が所定時間以上である前記第１吐出口が存在することがないように第１液体の初期の予備吐出データを作成する初期データ作成手段と、前記初期データ作成手段によって作成された初期の前記予備吐出データに基づいて吐出される第１液体が前記所定範囲内に着弾する場合に、その第１液体が吐出される前記第１吐出口の前記不吐出時間が変更前に比べて短くなるように初期の前記予備吐出データを変更する変更手段とを備えていてもよい。
【００２０】
この構成によると、第１吐出口の不吐出時間を所定時間より短く保ち、吐出性能を確保しつつ、画像エッジの視認性を向上させることができる。
【００２１】
本発明の液体吐出装置では、前記変更手段は、前記第１吐出口の前記不吐出時間を変更前に比べて短くなるように前記予備吐出データを変更する場合に、前記変更する予備吐出データ以外のデータについて、第１液体の吐出が行われない不吐出時間が所定時間以上である前記第１吐出口が存在することがないように当該データを変更してもよい。この構成によると、第１吐出口の不吐出時間を短く変更した際に、それ以外の予備吐出データにおいて不吐出時間が長くなる部分が生じ、吐出性能が低下するのを防ぐことができる。
【００２２】
本発明の液体吐出装置では、前記予備吐出データ作成手段は、フラッシングドットが形成されるドット領域同士が隣接しないように予備吐出データを作成してもよい。この構成によると、フラッシングドット同士が隣接して目立つのを防ぐことができる。
【００２３】
本発明の液体吐出装置は、記録媒体の両面に画像を記録するための両面印刷機構をさらに備えており、前記予備吐出データ作成手段は、予備吐出により吐出される第１液体が着弾するドット領域が記録媒体の両面で重ならないように第１液体の予備吐出データを作成してもよい。この構成によると、フラッシングドットが記録媒体の両面で重なることで目立つのを防ぐことができる。
【００２４】
本発明の液体吐出装置は、前記第１吐出ヘッドが、前記直交方向に延在し且つ固定的に設けられたライン式のヘッドであることが好ましい。固定的に設けられたライン式のヘッドの場合には、予備吐出の際に記録媒体上に第１液体を吐出することが特に必要である。したがって、上述の構成によると、本発明の適用が有用である。
【発明の効果】
【００２５】
上述のように、本発明の液体吐出装置では、画像のエッジの近傍にフラッシングドットが形成されるのを防ぐことで、フラッシングドットが画像エッジの一部として知覚されて画像エッジが乱れるのを抑制することができる。よって、煩雑な制御を必要とせず、画像エッジの視認性を向上させることができる。
【図面の簡単な説明】
【００２６】
【図１】本発明の第１の実施形態にかかるインクジェットプリンタの全体的な構成を示す概略側面図である。
【図２】図１に示すヘッド本体の平面図である。
【図３】図２の一点鎖線で囲まれた領域の拡大図である。
【図４】図２に示すヘッド本体の部分断面図である。
【図５】図１に示す制御装置の機能ブロック図である。
【図６】図５に示す印刷データ生成部での印刷データの生成を説明する図である。
【図７】図５に示すフラッシングデータ作成部でフラッシングドットを形成する領域を決定する過程を示す図である。
【図８】図５に示すフラッシングデータ作成部で行われる処理手順の一例を示すフローチャートである。
【図９】本発明の実施形態のフラッシングデータ作成部で行われる処理手順の一変形例を示すフローチャートである。
【発明を実施するための形態】
【００２７】
以下、本発明の好適な一実施の形態について、図面を参照しつつ説明する。
【００２８】
図１に示すように、インクジェットプリンタ１０１は直方体形状の筐体１０１ａを有している。筐体１０１ａ内には、用紙Ｐを順搬送方向（図１中右方向）及び順搬送方向とは反対の逆搬送方向の２つの方向に搬送する搬送機構１６、並びに搬送機構１６の上方に配置された４つの記録ヘッド１ａ及び処理液吐出ヘッド１ｂが設けられている。４つの記録ヘッド１ａは、搬送機構１６によって順搬送方向に搬送される用紙Ｐに対してシアン、マゼンタ、イエロー、ブラックのインク（第１液体）をそれぞれ吐出する。処理液吐出ヘッド１ｂは、順搬送方向に関して４つの記録ヘッド１ａよりも上流側に位置しており、搬送機構１６によって順搬送方向に搬送される用紙Ｐに対して処理液（第２液体）を吐出する。なお、記録ヘッド１ａ及び処理液吐出ヘッド１ｂの構成はほぼ同じであるので、以下の説明においては、これらを区別せずに単に「ヘッド１」と称する場合がある。
【００２９】
ここで、本実施形態で用いられる処理液は、あらかじめ用紙Ｐに塗布しておくことで、後から付着したインクの用紙Ｐ内への浸透度を低下させるものである。これにより、インクを用紙Ｐ上に定着しやすくすることができる。なお、先に吐出されたインクの上に着弾することで、インクの用紙Ｐ上での凝固性を向上させる処理液、すなわち後処理液、を用いてもよい。この場合、処理液吐出ヘッド１ｂは、順搬送方向に関して４つの記録ヘッド１ａよりも下流側に配置される。
【００３０】
また、筐体１０１ａの天板の上部には、画像が形成された用紙Ｐが排出される排紙部１５が設けられている。さらに、搬送機構１６の下方には給紙ユニット１０１ｂが、また給紙ユニット１０１ｂの下方にはタンクユニット１０１ｃがそれぞれ配置されている。タンクユニット１０１ｃ内には、４つのインクタンク１７ａ及び１つの処理液タンク１７ｂが収納されている。加えて、順搬送方向に関して処理液吐出ヘッド１ｂの上流側には、用紙Ｐの両面に印刷を行う場合に、一方の面に画像が記録された用紙Ｐの裏表を反転させる両面印刷機構２４が配置されている。
【００３１】
インクジェットプリンタ１０１の内部には、図１に示す黒太矢印に沿って本搬送経路が形成されており、用紙Ｐが給紙ユニット１０１ｂから排紙部１５に向けて搬送される。給紙ユニット１０１ｂは、給紙トレイ１１と、給紙ローラ１２とを有している。給紙トレイ１１は、上方に向かって開口した箱形状を有しており、複数枚の用紙Ｐが積層された状態で収納される。給紙ローラ１２は、給紙トレイ１１の最も上方にある用紙Ｐを送り出す。送り出された用紙Ｐは、ガイド１３ａ、１３ｂによりガイドされ且つ送りローラ対１４によって挟持されつつ搬送機構１６へと送られる。
【００３２】
搬送機構１６は、２つのベルトローラ６、７と、搬送ベルト８と、テンションローラ１０と、プラテン１８とを有している。搬送ベルト８は、両ローラ６、７の間に架け渡されるように巻回されたエンドレスのベルトであり、テンションローラ１０によってテンションが付加されている。プラテン１８は、搬送ベルト８の内側領域に配置され、記録ヘッド１ａ及び処理液吐出ヘッド１ｂと対向する位置において、搬送ベルト８を支持している。ベルトローラ７は、図示しないモータによって図１中時計回り及び反時計回りの２つの方向に回転駆動される駆動ローラであって、ベルトローラ６は、ベルトローラ７の回転により搬送ベルト８が走行することによって回転する従動ローラである。よって、搬送機構１６は、ベルトローラ７を駆動するモータの駆動を切り換えることで、搬送ベルト８上に載置された用紙Ｐを順搬送方向及び逆搬送方向に搬送することができる。
【００３３】
搬送機構１６から順搬送方向に送り出された用紙Ｐは、ガイド２９ａによりガイドされ、両送りローラ対２７に挟持される。両送りローラ対２７は、図示しないモータによって図１中時計回り及び反時計回りの２つの方向に回転駆動される駆動ローラ２７ａと、駆動ローラ２７ａの回転に伴って従動回転する従動ローラ２７ｂとからなる。これにより、両送りローラ対２７は、挟持した用紙Ｐを順搬送方向及び逆搬送方向の２つの方向に送ることができる。
【００３４】
両送りローラ対２７によって順搬送方向に送られた用紙Ｐは、ガイド２９ｂによりガイドされ、且つ送りローラ対２８によって挟持されつつ搬送され、筐体１０１ａの上部に形成された排出口２２から排紙部１５へと排出される。一方、両送りローラ対２７によって逆搬送方向に搬送された用紙Ｐは、再度搬送機構１６に送られる。このとき、後述する制御装置１００の制御により、搬送機構１６が用紙Ｐを逆搬送方向に搬送する状態とされる。したがって、搬送機構１６に送られた用紙Ｐは、逆搬送方向に搬送され、逆搬送方向に関して処理液吐出ヘッド１ｂの下流側で、両面印刷機構２４に送られる。
【００３５】
両面印刷機構２４は、複数の再給紙ローラ対２５及びそれらの間で用紙Ｐをガイドする複数のガイド２６で主に構成され、図１中白太矢印で示すような両端がそれぞれ本搬送経路に接続されたループ状の反転経路に沿って用紙Ｐを搬送するものである。より詳細には、両面印刷機構２４において用紙Ｐは、両面印刷機構２４に送られる前に表となっていた面が外側となる状態で反転経路に沿って搬送される。したがって、搬送機構１６により本搬送経路を逆搬送方向に搬送され両面印刷機構２４に送られた用紙Ｐは、表裏が反転された状態で、搬送機構１６と送りローラ対１４との間から再度本搬送経路へと送られる。
【００３６】
５つのヘッド１は、主走査方向に長尺な略直方体形状を有している。これらのヘッド１は、用紙Ｐの搬送方向に沿って配列されて固定されている。つまり、このプリンタ１０１はライン式のプリンタであり、搬送方向と主走査方向とは互いに直交する関係にある。なお、４つの記録ヘッド１ａは、順搬送方向に関して上流側から、シアン、マゼンタ、イエロー、ブラックの順で配列されている。
【００３７】
各ヘッド１は、インクを吐出する複数の吐出口１０８（図３及び図４参照）が形成されたヘッド本体２を有している。４つのインクタンク１７ａには互いに異なる色のインクが貯留されており、処理液タンク１７ｂには処理液が貯留されている。これらインクタンク１７ａ及び処理液タンク１７ｂからヘッド本体２へと、シアン、マゼンタ、イエロー、ブラックのインク及び処理液が供給される。
【００３８】
吐出口１０８は、ヘッド本体２の下面である吐出面２ａに開口しており、ヘッド本体２に供給されたインクが到達する。搬送機構１６によって順搬送方向に搬送される用紙Ｐが５つのヘッド１のすぐ下方を通過する際に、用紙Ｐの上面に向けて吐出口１０８から最初に処理液が、次に各色のインクが順に吐出される。これにより、用紙Ｐの上面、すなわち、搬送ベルト８上で上方を向いている面に所望のカラー画像が形成される。なお、吐出面２ａも主走査方向に長尺な平面となっている。また、用紙Ｐの全体に画像を形成できるよう、吐出口１０８は用紙Ｐにおける主走査方向に沿う長さ以上の範囲で吐出面２ａの主走査方向に沿って配列されている。
【００３９】
次に、図２〜図４を参照しつつヘッド本体２について詳細に説明する。なお、図３では説明の都合上、アクチュエータユニット２１の下方にあって破線で描くべき圧力室１１０、アパーチャ１１２及び吐出口１０８を実線で描いている。
【００４０】
ヘッド本体２は、図２に示すように、流路ユニット９の上面９ａに４つのアクチュエータユニット２１が固定された積層体である。なお、図示はしないが、記録ヘッド１ａ及び処理液吐出ヘッド１ｂは、ヘッド本体２に加えて、流路ユニット９に供給されるインク（又は処理液）を貯留するリザーバユニット、アクチュエータユニット２１に駆動信号を供給するフレキシブルプリント配線基板（Flexible Printed Circuit：ＦＰＣ）、ＦＰＣに実装されたドライバＩＣを制御する制御基板等を含んでいる。
【００４１】
図４に示すように、流路ユニット９は、ステンレス鋼からなる複数の金属製のプレートを互いに位置合わせした積層体である。流路ユニット９内には、マニホールド流路１０５（図２及び図３参照）から副マニホールド流路１０５ａ、そして副マニホールド流路１０５ａの出口からアパーチャ１１２及び圧力室１１０を経て吐出口１０８に至る多数の個別インク流路１０９が形成されている。アクチュエータユニット２１は、各圧力室１１０に対応した複数のアクチュエータを含んでおり、圧力室１１０内のインクに選択的に吐出エネルギーを付与する機能を有する。
【００４２】
図２に示すように、流路ユニット９の上面９ａには、リザーバユニットのインク流出流路に対応して、計１０個のインク供給口１０５ｂが開口している。流路ユニット９の下面は吐出面２ａとなっており、多数の吐出口１０８がマトリクス状に配置されている。なお、吐出口１０８は、主走査方向に関して主走査方向解像度である６００ｄｐｉの間隔で配列されている。
【００４３】
記録ヘッド１ａ及び処理液吐出ヘッド１ｂは上述のようなヘッド本体２をそれぞれ有しており、記録ヘッド１ａは、後述する画像記録制御部３５及びフラッシング制御部３６、また処理液吐出ヘッド１ｂは、後述するプレコート制御部４０の制御により、副走査方向に６００ｄｐｉの間隔で吐出口１０８からのインク又は処理液が用紙Ｐ上に着弾するように、インク又は処理液の吐出間隔が制御される。すなわち、本実施形態においては、主走査方向解像度及び副走査方向解像度はいずれも６００ｄｐｉであり、用紙Ｐ上には、主走査方向と副走査方向とにそれぞれ１／６００インチ間隔の格子状に区画された複数のドット領域が規定される。
【００４４】
また、本実施の形態においては、記録ヘッド１ａは、後述する画像記録制御部３５及びフラッシング制御部３６の制御により、吐出口１０８から吐出されるインクの量が、大滴、中滴、及び小滴の三段階で調整される。同様に、処理液吐出ヘッド１ｂについても、後述するプレコート制御部４０の制御により、吐出口１０８から吐出される処理液の量が、大滴、中滴、及び小滴の三段階で調整される。
【００４５】
図１に戻って、筐体１０１ａ内には、インクジェットプリンタ１０１全体を制御する制御装置１００が配置されている。ここで、図５を参照しつつ、制御装置１００について説明する。制御装置１００は、ＣＰＵ（Central Processing Unit）と、ＣＰＵが実行するプログラム及びこれらプログラムに使用されるデータを書き替え可能に記憶するＥＥＰＲＯＭ（Electrically Erasable and Programmable Read Only Memory）と、プログラム実行時にデータを一時的に記憶するＲＡＭ（Random Access Memory）とを含んでいる。制御装置１００を構成する各機能部は、これらハードウェアとＥＥＰＲＯＭ内のソフトウェアとが協働して構築されている。図５に示すように、制御装置１００は、搬送制御部３１、画像データ記憶部３２、印刷データ生成部３３、印刷データ記憶部３４、画像記録制御部３５、フラッシング制御部３６、フラッシングデータ作成部３７、明度算出部３８、明度判断部３９、プレコート制御部４０、及びプレコートデータ作成部４１を有している。
【００４６】
搬送制御部３１は、給紙ローラ１２、送りローラ対１４、ベルトローラ７、両送りローラ対２７、送りローラ対２８、及び再給紙ローラ対２５をそれぞれ駆動する複数のモータ（図示せず）を制御する。具体的には、用紙Ｐの片面のみに画像を記録する際には、給紙トレイ１１に収納された用紙Ｐを送り出し、５つのヘッド１と搬送ベルト８との間を通過させて排出口２２に排出する。用紙Ｐの両面に画像を記録する際には、給紙トレイ１１から送り出し順搬送方向に沿ってヘッド１の下流側まで搬送された用紙Ｐを、逆搬送方向に搬送し、両面印刷機構２４で表裏を反転させてから再度順搬送方向に搬送して、排出口２２に排出する。
【００４７】
画像データ記憶部３２は、このインクジェットプリンタ１０１と接続されているＰＣ（Personal Computer）等から転送される画像データを記憶するものである。この画像データは、例えば、ＣＭＹＫカラーモデルによって表現されたものである。画像データに含まれる各ドットデータは、用紙Ｐ上の複数のドット領域にそれぞれ対応づけられていると共に、それぞれが０〜２５５で表わされるシアン、マゼンタ、イエロー、ブラックの階調値を有している。本実施例において、画像データの大きさは、片面印刷の場合は用紙Ｐの１ページ単位のデータとし、両面印刷の場合は用紙Ｐの２ページ（両面）単位のデータとしている。ただし、本発明の画像データの範囲はこの実施例に限定されるものではなく、片面印刷の場合で用紙Ｐの１ページ未満のデータであってもよい。
【００４８】
印刷データ生成部３３は、誤差拡散法を用いて、画像データ記憶部３２に記憶された画像データの各ドットデータから、各ドット領域に着弾させる各色のインクのインク量に相当する階調値を示すドットデータである印刷データを生成するものである。具体的には、画像データに含まれるドットデータの階調情報を大中小３種類の閾値を用いてそれぞれ４値化することにより、各ドット領域において、各色毎に、インクを着弾させるか否か、インクを着弾させる場合にはその量を大滴、中滴、小滴の何れにするか、を表す印刷データを生成する。また、各ドットデータについて、画像データにおける階調値と印刷データにおけるインク量に相当する階調値との誤差を算出し、そのドットデータに対応するドット領域の周辺のドット領域に対応するドットデータに分配する。なお、本実施の形態においては、誤差を分配するのは、対象ドットデータに対応するドット領域の周囲１ドット領域の範囲に対応するドットデータとする。
【００４９】
上述のように、本実施形態においては、画像データから印刷データを生成する際に誤差拡散法を用いているので、図６に示すように、画像データにかかる画像が形成される画像ドット領域（図中黒塗りで示す）の周りに画像データでの階調値と印刷データでの階調値との誤差が分配される誤差分ドット領域（図中「Ｄ」と記載された領域）が配置される。すなわち、誤差分ドット領域は、画像ドット領域のうち、隣接するドット領域に１つでも背景に対応する背景ドット領域（白塗りで示す領域）が存在するエッジドット領域から１ドット領域の範囲に配置される。
【００５０】
印刷データ記憶部３４は、印刷データ生成部３３で生成された印刷データを記憶する。画像記録制御部３５は、印刷データ記憶部３４に記憶された印刷データに基づいて各記録ヘッド１ａに備えられたアクチュエータユニット２１に含まれる各アクチュエータを制御する。
【００５１】
フラッシング制御部３６は、吐出口１０８近傍の増粘したインクを用紙Ｐに向けて吐出するフラッシングを行うべく、フラッシングデータ作成部３７により作成されたインクのフラッシングデータに基づいて、各記録ヘッド１ａに備えられたアクチュエータユニット２１に含まれる各アクチュエータを制御する。
【００５２】
フラッシングデータ作成部３７は、データ記憶部３７ａ、初期データ作成部３７ｂ、変更部３７ｃ、及び範囲決定部３７ｄを含んでいる。データ記憶部３７ａは、フラッシングドットを形成するドット領域に関するデータを記憶する。
【００５３】
初期データ作成部３７ｂは、フラッシングドットを形成するドット領域であるフラッシングドット領域を暫定的に定める。具体的には、搬送制御部３１に記憶されている用紙Ｐの搬送速度に所定時間を乗じることで算出される所定ドット間隔（距離）でフラッシングドット領域を定めて、そのドット領域をデータ記憶部３７ａに記憶する。つまり、図７（ａ）に示すように、用紙Ｐ上に規定された複数のドット領域には、フラッシングドット領域（図中斜線で示すドット領域）が、順搬送方向に沿って所定ドット間隔分の距離を隔てた等間隔で配置される。これにより、インクが吐出されない不吐出時間が所定時間以上となる吐出口１０８が存在しないようにできる。なお、かかる所定時間とは、インクの色や周囲の温度、湿度等によって変わる。
【００５４】
変更部３７ｃは、データ記憶部３７ａに記憶されているドット領域で、範囲決定部３７ｄで決定された排除範囲内に存在するものがある場合に、そのドット領域にインクを吐出する吐出口１０８の所定ドット間隔が変更前に比べて短くなるように、データ記憶部３７ａのデータを変更する。すなわち、排除範囲内に位置するドット領域を、順搬送方向の下流側（ドット領域にインクが吐出される間隔が短くなる方向。言い換えると、早くインクが吐出される方向）へ移動させる。また、このとき、データ記憶部３７ａに記憶されている他のドット領域で、順搬送方向に沿うドット領域の間隔が、所定ドット間隔以上となるものがある場合、すなわち、不吐出時間が所定時間以上となる吐出口１０８が存在する可能性のある場合には、フラッシングドット領域を新たに追加することで、不吐出時間が所定時間以上となる吐出口１０８が存在しないようにする。
【００５５】
また、変更部３７ｃは、データ記憶部３７ａに記憶されているドット領域で、互いに隣接するものがある場合に、それらのドット領域のいずれかが順搬送方向下流側のドット領域に変更されるように、データ記憶部３７ａのデータを変更する。
【００５６】
さらに、変更部３７ｃは、両面印刷を行う際に、データ記憶部３７ａに記憶されているドット領域で、用紙Ｐの両面で重なるものが有る場合に、それらのドット領域のいずれかが順搬送方向下流側のドット領域に変更されるように、データ記憶部３７ａのデータを変更する。
【００５７】
範囲決定部３７ｄは、排除範囲の広さを決定する。排除範囲とは、画像データ記憶部３２に記憶されている画像データにかかる画像のエッジに対応するドット領域であるエッジドット領域（画像データにかかる画像が形成される画像ドット領域のうち、１つでも画像が形成されない背景ドット領域と隣り合うドット領域）に隣接する所定の範囲である。具体的には、範囲決定部３７ｄは、後述する４つの条件のいずれにも当てはまらない場合には、誤差分ドット領域を排除範囲として決定する。すなわち、このとき、エッジドット領域から１ドット領域以内の第１領域が排除範囲となる。また、４つの条件のうち少なくともいずれか１つに当てはまる場合には、エッジドット領域から２ドット領域以内の第２領域を排除範囲に決定する。以下、４つの条件について説明する。
【００５８】
第１の条件は、用紙Ｐに着弾したインクが滲みやすいことである。本実施の形態においては、用紙Ｐの種類、インクの種類、及び用紙Ｐの湿度により、滲みやすさを判断する。具体的には、例えば、用紙Ｐの種類と滲みやすさとを関係づけたデータ、つまり、フェザリングやブリーディングが発生しやすい用紙Ｐは滲みやすいと記憶されており、それ以外の用紙Ｐは滲みにくいと記憶されたデータを用い、用紙種検知センサによる検知やユーザによる入力で得た用紙Ｐの種類の情報から滲みやすさを判断する。インクの種類、及び用紙Ｐの湿度についても同様のデータを用意し、センサによる検知やユーザによる入力で得た情報から判断する。
【００５９】
第２の条件は、フラッシングドット領域の最も近傍に位置するエッジドット領域に対応するデータを含む画像の線が細いことである。すなわち、エッジドット領域に対応するデータを含む画像の線の太さが予め定めた閾値以下である場合には、その線を細い線であると判断する。
【００６０】
第３の条件は、フラッシングドットの明度よりもそのフラッシングドットが形成されるドット領域の最も近傍に位置するエッジドット領域に形成される画像ドットの明度が大きいことである。なお、明度の大小の判断は、明度判断部３９による判断の結果を用いる。
【００６１】
第４の条件は、フラッシングドット領域の最も近傍に位置するエッジドット領域に着弾する処理液の量が多いことである。本実施形態においては、エッジドット領域に大滴の処理液が着弾する場合には、処理液の量が多いと判断する。
【００６２】
明度算出部３８は、各記録ヘッド１ａの吐出口１０８から吐出されるインクの色及び量に基づいて、用紙Ｐに形成される画像ドット及びフラッシングドットの明度を算出する。具体的には、以下の表１に示すように、各インクの色に対して濃い色から順にブラックは１、マゼンタは２、シアンは３、イエローは４と重みを付け、またインク量に関しては、量が多いものから順に大滴は１、中滴は２、小滴は３と重みを付け、これら色の重みと量の重みとを掛け合わせて明度を算出する。すなわち例えば、イエローの中滴の場合の明度は（４×２＝）８であり、ブラックの小滴の場合の明度は（１×３＝）３である。
【００６３】
【表１】
2011073297.tif 000003
【００６４】
明度判断部３９は、明度算出部３８による算出結果に基づいて、用紙Ｐに形成された２つのドットの明度の大小関係を判断する。すなわち例えば、イエローの中滴で形成された画像ドットと、ブラックの小滴で形成されたフラッシングドットとを比較した場合、上述のように画像ドットの明度は８、フラッシングドットの明度は３であるので、フラッシングドットの明度の方が小さいと判断する。
【００６５】
プレコート制御部４０は、プレコートデータ作成部４１で作成されたデータに基づいて、処理液吐出ヘッド１ｂに備えられたアクチュエータユニット２１に含まれる各アクチュエータを制御する。プレコートデータ作成部４１は、処理液が着弾するドット領域及び吐出する処理液の量に関するデータを作成する。プレコートデータ作成部４１は、用紙Ｐ上に規定された複数のドット領域のうち、画像記録制御部３５の制御に基づいてインクが着弾するドット領域、すなわち画像ドットが形成されるドット領域に処理液が着弾するようにデータを作成する。また、吐出する処理液の量は、そのドット領域に形成される画像ドットを構成するインクの量が多いほど、処理液の量も多くなるように定める。
【００６６】
続いて、図８を参照しつつ、プリンタ１０１で用紙Ｐの両面に画像を形成する際に制御装置１００のフラッシングデータ作成部３７で行われる処理手順の一例について説明する。なお、この処理手順の前に画像データ記憶部３２への画像データの記憶、及びプレコートデータ作成部４１での処理液の吐出データの作成処理が行われ、その後、図８の処理が開始される。本実施例において、画像データ記憶部３２に記憶される画像データの大きさは、片面印刷の場合は用紙Ｐの１ページ単位のデータで１ページ以上のデータとし、両面印刷の場合は用紙Ｐの２ページ（両面）単位のデータで偶数ページに係るデータとしている。ただし、本発明の画像データの範囲はこの実施例に限定されるものではなく、片面印刷の場合に用紙Ｐの１ページ未満のデータであってもよい。
【００６７】
まず、初期データ作成部３７ｂが、格納された画像データについて、図７（ａ）に示すように、用紙Ｐ上に順搬送方向に沿って所定ドット間隔でフラッシングドットが形成されるように、フラッシングドット領域を暫定的に定める（ステップＳ１１）。なお、本実施例では画像データとは無関係にフラッシングドット領域を暫定的に定めている。ステップＳ１１で定められた暫定的なフラッシングデータは、データ記憶部３７ａに記憶される。以降、ステップＳ１２からステップＳ２１までは、ステップＳ１１で定められたフラッシングデータに含まれる各データについて順番に処理を行う。
【００６８】
次いで、範囲決定部３７ｄによって排除範囲を決定すべく、４つの条件の判断が順番に行われる（ステップＳ１２〜Ｓ１５）。すなわち、まず、用紙Ｐに付着したインクが滲みやすいか否かを判断する（ステップＳ１２）。続いて、フラッシングドットが形成されるドット領域の最も近傍に位置するエッジドット領域に対応するデータを含む画像の線が細いか否かを判断する（ステップＳ１３）。さらに、フラッシングドットの明度よりもそのフラッシングドットが形成されるドット領域の最も近傍に位置するエッジドット領域に形成される画像ドットの明度が大きいか否かを判断する（ステップＳ１４）。最後に、フラッシングドットが形成されるドット領域の最も近傍に位置するエッジドット領域に着弾する処理液の量が多いか否かを判断する（ステップＳ１５）。
【００６９】
そして、上述の４つの条件のいずれにも該当しない場合（ステップＳ１２〜Ｓ１５のすべてでＮＯ）には、範囲決定部３７ｄによって排除範囲が第１領域に決定され、フラッシングドットが形成されるドット領域が第１領域内に位置しているか否かが判断される（ステップＳ１６）。このとき、第１領域内に位置していない場合（Ｓ１６：ＮＯ）には、後述するステップＳ２４に進む。また、第１領域内に位置している場合（Ｓ１６：ＹＥＳ）には、ステップＳ１８に進む。
【００７０】
一方、４つの条件のうち、少なくとも１つに該当した場合（ステップＳ１２〜Ｓ１５のいずれかでＹＥＳ）には、範囲決定部３７ｄによって排除範囲が第２領域に決定され、フラッシングドットが形成されるドット領域が第２領域内に位置しているか否かが判断される（ステップＳ１７）。このとき、第２領域内に位置していない場合（Ｓ１７：ＮＯ）には、後述するステップＳ２４に進む。また、第２領域内に位置している場合（Ｓ１７：ＹＥＳ）には、ステップＳ１８に進む。
【００７１】
次に、排除範囲内に位置するフラッシングドット領域が順搬送方向の下流側に向かって排除範囲外まで移動するように、データ記憶部３７ａのデータを変更する（ステップＳ１８）。ここで、図７（ａ）において破線の円で囲まれたフラッシングドット領域について考える。かかるフラッシングドット領域は、画像データにかかる画像が形成される画像ドット領域（図中太線で囲まれたドット領域）のエッジドット領域に隣接している。なお、このフラッシングドット領域の排除範囲は第２領域、すなわち、エッジドット領域から２ドット領域以内であるとする。よって、このフラッシングドット領域は、ステップＳ１８での処理により、図７（ｂ）に示すように、順搬送方向の下流側に２ドット領域分移動する。
【００７２】
続いて、ステップＳ１８で移動させたフラッシングドット領域が、他のフラッシングドット領域に隣接しているか否かを判断する（ステップＳ１９）。他のフラッシングドット領域に隣接している場合（Ｓ１９：ＹＥＳ）は、後述するステップＳ２１に進む。一方、隣接していない場合（Ｓ１９：ＮＯ）には、ステップＳ１８で移動させたドット領域が、用紙Ｐの反対側の面のフラッシングドット領域に重なっているか否かを判断する（ステップＳ２０）。用紙Ｐの両面でフラッシングドット領域が重なっている場合（Ｓ２０：ＹＥＳ）には、ステップＳ２１に進む。
【００７３】
ステップＳ２１においては、フラッシングドット領域同士が隣接しない位置まで、または、フラッシングドット領域が用紙Ｐの両面で重ならない位置まで、フラッシングドット領域が順搬送方向の下流側に向かって移動するように、データ記憶部３７ａのデータを変更する。ここで、図７（ｂ）に示すように、ステップＳ１８で移動させたフラッシングドット領域の右斜め上方には別のフラッシングドット領域が存在し、これらは互いに隣接している。よって、図７（ｃ）に示すように、このフラッシングドット領域を他のフラッシングドット領域と隣接しないように、さらに３ドット領域分だけ順搬送方向の下流側に移動させる。
【００７４】
一方、用紙Ｐの両面でフラッシングドット領域が重なっていない場合（Ｓ２０：ＮＯ）には、データ記憶部３７ａに記憶されているすべてのフラッシングドット領域のデータに基づいて、インクが吐出されない不吐出時間が所定時間以上となる吐出口１０８が存在するか否かを判断する（ステップＳ２２）。なお、本実施例では、インクが吐出されない不吐出時間が所定時間以上となる吐出口１０８が存在するか否かを判断の代わりに、順搬送方向におけるフラッシングドットの間隔が所定ドット間隔以上となる吐出口１０８が存在するか否かを判断している。不吐出時間が所定時間以上となる吐出口１０８が存在する場合（Ｓ２２：ＹＥＳ）には、新たにフラッシングドット領域が追加されるようにデータ記憶部３７ａのデータを変更し、不吐出時間が所定時間以上となる吐出口１０８が存在しないようにする（ステップＳ２３）。
【００７５】
図７（ｃ）に示すように、ステップＳ１８、及びステップＳ２１で移動させたフラッシングドット領域は、そのフラッシングドット領域の順搬送方向の上流側に位置するフラッシングドット領域との間隔が、所定ドット間隔以上となる。すなわち、このフラッシングドット領域に着弾するインクを吐出する吐出口１０８の不吐出時間は所定時間以上となる。よって、このフラッシングドット領域から順搬送方向の上流側に所定ドット間隔分離れたドット領域（図中黒塗りのドット領域）を新たなフラッシングドット領域として追加することで、不吐出時間が所定時間以上となる吐出口１０８が存在しないようにすることができる。
【００７６】
不吐出時間が所定時間以上となる吐出口１０８が存在しない場合（Ｓ２２：ＮＯ）には、データ記憶部３７ａに記憶されているすべてのフラッシングドット領域のデータについて、ステップＳ１２〜Ｓ２１の処理を行ったか否かを判断する（ステップＳ２４）。未だステップＳ１２〜Ｓ２１の処理を行っていないデータがある場合（Ｓ２４：ＮＯ）には、上述のステップＳ１２に戻る。一方、すべてのデータの処理が終了した場合（Ｓ２４：ＹＥＳ）には、データ記憶部３７ａに記憶されたデータが確定される。
【００７７】
以上のように、本実施形態のインクジェットプリンタ１０１では、複数のドット領域のうち、画像データ記憶部３２に記憶されている画像データにかかる画像のエッジに対応するエッジドット領域から少なくとも１ドット領域以内の排除範囲にはフラッシングドットが形成されない。したがって、画像のエッジの近傍にフラッシングドットが形成されるのを防ぎ、フラッシングドットが画像エッジの一部として知覚されて画像エッジが乱れるのを抑制することができる。よって、煩雑な制御を必要とせず、画像エッジの視認性を向上させることができる。
【００７８】
また、本実施形態のインクジェットプリンタ１０１では、用紙Ｐに着弾したインクが滲みやすいか否か、画像の線が細いか否か、フラッシングドットの明度よりもそのフラッシングドットが形成されるドット領域の最も近傍に位置するエッジドット領域に形成される画像ドットの明度が大きいか否か、エッジドット領域に着弾する処理液の量が多いか否か、の４つの条件に基づいて、すべての条件に該当しない場合には排除範囲をエッジドット領域から１ドット領域以内の第１領域に決定し、少なくともいずれか１つの条件に該当する場合には排除範囲をエッジドット領域から２ドット領域以内の第２領域に決定する範囲決定部３７ｄを備えている。したがって、画像の内容や印刷条件等に合わせて、排除範囲を適正に定めることができる。すなわち、画像エッジが乱れやすい場合、画像エッジの視認性を高く保つことが重要である場合、またフラッシングドットが目立ちやすい場合等に、排除範囲を広く定めることができる。
【００７９】
また、本実施形態のインクジェットプリンタ１０１では、範囲決定部３７ｄは、印刷データ生成部３３において誤差拡散法により画像データから印刷データを生成する際に、エッジドット領域に対応する画像データの誤差が分配される範囲を排除範囲の第１領域とする。したがって、エッジドット領域の近傍に形成されたフラッシングドットが、誤差拡散によって形成された画像ドットと重なり合って目立つのを防ぐことができる。
【００８０】
さらに、本実施形態のインクジェットプリンタ１０１では、データ記憶部３７ａに記憶されているフラッシングドット領域で、排除範囲内に存在するものがある場合に、そのドット領域にインクを吐出する吐出口１０８の不吐出時間が変更前に比べて短くなるように、データ記憶部３７ａのデータを変更する。したがって、吐出口１０８の不吐出時間を所定時間より短く保ち、吐出性能を確保しつつ、画像エッジの視認性を向上させることができる。また、このとき、データ記憶部３７ａに記憶されている他のフラッシングドット領域のデータについて、不吐出時間が所定時間以上となる吐出口１０８が存在しないように、データ記憶部３７ａのデータを変更する。よって、吐出口１０８の不吐出時間を短く変更した際に、それ以外のデータにおいて不吐出時間が長くなる部分が生じ、吐出性能が低下するのを防ぐことができる。
【００８１】
加えて、本実施形態のインクジェットプリンタ１０１では、データ記憶部３７ａに記憶されているフラッシングドット領域で、互いに隣接するものがある場合に、それらのフラッシングドット領域のいずれかが他のフラッシングドット領域と隣接しない位置まで移動するように、データ記憶部３７ａのデータを変更する。したがって、フラッシングドット同士が隣接して目立つのを防ぐことができる。
【００８２】
さらに、本実施形態のインクジェットプリンタ１０１では、両面印刷を行う際に、データ記憶部３７ａに記憶されているフラッシングドット領域で、用紙Ｐの両面で重なるものが有る場合に、それらのフラッシングドット領域のいずれかが他のフラッシングドット領域と重なり合わない位置まで移動するように、データ記憶部３７ａのデータを変更する。したがって、フラッシングドットが用紙Ｐの両面で重なることで目立つのを防ぐことができる。
【００８３】
また、本実施形態のインクジェットプリンタ１０１では、記録ヘッド１ａは、搬送方向と直交する主走査方向に延在し且つ固定的に設けられたライン式のヘッドである。固定的に設けられたライン式のヘッドの場合には、フラッシングの際に用紙Ｐ上にインクを吐出することが特に必要である。したがって、本実施形態のインクジェットプリンタ１０１には、本発明の適用が有用である。
【００８４】
以上、本発明の好適な一実施形態について説明したが、本発明は上述の実施の形態に限られるものではなく、特許請求の範囲に記載した限りにおいて、様々な設計変更を行うことが可能なものである。
【００８５】
例えば、上述の実施形態では、範囲決定部３７ｄで排除範囲を決定する際に、４つの条件を順番に判断し、すべての条件に当てはまらない場合には排除範囲を第１領域に、少なくとも１つの条件に当てはまる場合には排除範囲を第２領域に決定する場合について説明したが、範囲決定部３７ｄでの処理はこれには限定されない。ここで、図９を参照しつつ、範囲決定部３７ｄでの処理の一変形例について説明する。まず、ステップＳ１１２において第１の条件として用紙Ｐに付着したインクが滲みやすいか否かを判断し、滲みやすいと判断された場合（Ｓ１１２：ＹＥＳ）には、用紙Ｐの種類等、滲みやすさの原因となる条件が記憶される（Ｓ１１３）。次に、ステップＳ１１４において第２の条件として画像の線が細いか否かを判断し、細いと判断された場合（Ｓ１１４：ＹＥＳ）には、細線フラグがＯＮとされる（Ｓ１１５）。続いて、ステップＳ１１６において第３の条件としてフラッシングドットの明度よりもエッジドット領域に形成される画像ドットの明度が大きいか否かを判断し、画像ドットの明度が大きいと判断された場合（Ｓ１１６：ＹＥＳ）には、それらの明度差が記憶される（Ｓ１１７）。最後に、ステップＳ１１８において第４の条件としてエッジドット領域に着弾する処理液の量が多いか否かを判断し、処理液の量が多いと判断された場合（Ｓ１１８：ＹＥＳ）には、処理液の量を記憶する（Ｓ１１９）。そして、ステップＳ１２０において、上述のステップＳ１１３、Ｓ１１５、Ｓ１１７、Ｓ１１９での記憶内容に基づいて最適な排除範囲を定め、フラッシングドットがその排除範囲内に位置しているか否かを判断する。すなわち、滲みやすさの程度、細線か否か、明度差の大きさ、及び処理液量の多さの各条件を考慮し、最も排除範囲を広く定める必要のある条件に合わせた範囲に定める。なお、図９のその他のステップは、上述の実施形態で説明したステップと同様であるので、説明を省略する。
【００８６】
また、上述の実施形態では、各記録ヘッド１ａに備えられたアクチュエータユニット２１に含まれる各アクチュエータを制御する制御手段として、印刷データ記憶部３４に記憶された印刷データに基づいて制御を行う画像記録制御部３５と、フラッシングデータ作成部３７により作成されたフラッシングデータに基づいて制御を行うフラッシング制御部３６とを備えている場合について説明したが、これには限定されない。すなわち、１つの制御手段が、印刷データとフラッシングデータとを合わせた吐出データに基づいて制御を行うようにしてもよい。
【００８７】
また、上述の実施形態では、プレコートデータ作成部４１は、用紙Ｐ上に規定された複数のドット領域のうち、画像記録制御部３５の制御に基づいてインクが着弾するドット領域に処理液が着弾するようにデータを作成する場合について説明したが、画像記録制御部３５の制御に基づいてインクが着弾するドット領域の周囲のドット領域にも処理液が着弾するようにしてもよい。この場合、範囲決定部３７ｄにおいて排除範囲を決定する際の第４の条件では、エッジドット領域に隣接し且つ処理液が着弾する範囲が広いことが条件となる。
【００８８】
さらに、上述の実施形態では、排除範囲を決定する範囲決定部３７ｄを備えている場合について説明したが、範囲決定部３７ｄはなくてもよい。この場合、排除範囲は、エッジドット領域から１ドット領域以上の範囲に固定的に定められる。
【００８９】
また、上述の実施形態では、範囲決定部３７ｄは、印刷データ生成部３３において誤差拡散法により画像データから印刷データを生成する際に、エッジドット領域に対応する画像データの誤差が分配される範囲を排除範囲の第１領域とする場合について説明したが、これには限定されない。すなわち、誤差が分配される範囲に関係なく排除範囲を定めてよい。
【００９０】
さらに、上述の実施形態では、印刷データ生成部３３において誤差拡散法により画像データから印刷データを生成する場合について説明したが、印刷データの生成方法はこれに限定されるものではない。
【００９１】
また、上述の実施形態では、初期データ作成部３７ｂが、画像データとは無関係に、フラッシングドットが用紙Ｐ上に所定ドット間隔で形成されるようにフラッシングデータを作成する場合について説明したが、これには限定されない。すなわち、例えば、画像記録制御部３５の制御による記録ヘッド１ａの各吐出口１０８からのインク吐出間隔に基づいて、インク吐出間隔が所定時間以上となる吐出口１０８を探し、インク吐出間隔が所定時間よりも短くなるようにかかる吐出口１０８からインクを吐出し、フラッシングドットが形成されるようにフラッシングデータを作成してもよい。
【００９２】
また、上述の実施形態では、排除範囲内に存在するフラッシングドット領域がある場合に、そのフラッシングドット領域を順搬送方向の下流側へ排除範囲外まで移動させる場合について説明したがこれには限定されない。たとえば、用紙Ｐを複数のドット領域からなる複数のブロックに分割し、画像記録制御部３５の制御に基づいて各記録ヘッド１ａから吐出され用紙Ｐ上に着弾するインクの総量をブロック毎に算出しておく。そして、フラッシングドット領域を移動させる際に、そのフラッシングドット領域が位置しているブロックよりも順搬送方向下流側に位置するブロックであって、ブロック内に着弾するインクの総量が少ないブロックにフラッシングドット領域を移動させるようにしてもよい。
【００９３】
加えて、上述の実施形態では、用紙Ｐの両面に画像を記録すべく、用紙Ｐの表裏を反転させる両面印刷機構２４を備えている場合について説明したが、両面印刷機構２４はなくてもよい。
【００９４】
また、上述の実施形態では、主走査方向に伸延するヘッド１を備えたライン式のプリンタについて説明したが、本発明は、主走査方向に移動可能なヘッドを備えたシリアル式のプリンタに適用することもできる。
【００９５】
また、上述の実施形態では、図７（ｃ）に示すように、移動させたフラッシングドット領域から順搬送方向の上流側に所定ドット間隔分離れたドット領域（図中黒塗りのドット領域）を新たなフラッシングドット領域として追加しているが、追加するのではなく、移動させたフラッシングドット領域の順搬送方向上流側に隣接するフラッシングドット領域を、移動させたフラッシングドット領域との間隔が所定ドット間隔となるように、順搬送方向下流側に移動させる処理を施してもよい。
【００９６】
また、上述の実施形態では、吐出エネルギーを付与する手段としてアクチュエータユニット２１を開示し、アクチュエータユニットの具体例としては、ユニモルフ型のピエゾ式アクチュエータなどがあげられる。しかしながら吐出エネルギーを付与する手段としては、他に発熱素子でノズル内の液状インクを熱し、泡を発生させて、ノズルからインクを押し出して印刷するサーマル方式の吐出エネルギーを付与する手段を適用することもできる。
【符号の説明】
【００９７】
１ａ  記録ヘッド（第１吐出ヘッド）
１ｂ  処理液吐出ヘッド（第２吐出ヘッド）
１６  搬送機構
２１  アクチュエータユニット
２４  両面印刷機構
３２  画像データ記憶部（画像データ記憶手段）
３５  画像記録制御部（画像記録制御手段）
３６  フラッシング制御部（フラッシング制御手段）
３７  フラッシングデータ作成部（予備吐出データ作成手段）
３７ｂ  初期データ作成部（初期データ作成手段）
３７ｃ  変更部（変更手段）
３７ｄ  範囲決定部（範囲決定手段）
４０  プレコート制御部（第２液体制御手段）
４１  プレコートデータ作成部（第２液体吐出データ作成手段）
１０８  吐出口（第１吐出口、第２吐出口）
【図１】
2011073297.tif 000004
【図２】
2011073297.tif 000005
【図３】
2011073297.tif 000006
【図４】
2011073297.tif 000007
【図５】
2011073297.tif 000008
【図６】
2011073297.tif 000009
【図７】
2011073297.tif 000010
【図８】
2011073297.tif 000011
【図９】
2011073297.tif 000012